(57)【特許請求の範囲】
【請求項１】
有線ネットワークを介して電話端末と基地局と構内交換機とが接続された電話機ネットワークシステムにおいて、
構内に設けられた前記基地局と第１の通信プロトコルで接続し、前記基地局を介して前記構内交換機と通信する無線端末と、
前記構内交換機と通信し、前記第１の通信プロトコルとは異なり、電話端末と前記無線端末の電界強度の算出にのみ用いられる第２の通信プロトコルで前記無線端末と接続する前記電話端末と、
前記電話端末と前記無線端末の内線番号を同一の番号で管理する前記構内交換機と、を備え、
発信動作の際、前記構内交換機は前記基地局を介して専用アプリケーションを使用した前記無線端末の発信を受けると、前記電話端末と前記無線端末との接続状態を認識して前記電話端末を発信状態にし、着信動作の際、前記構内交換機は前記電話端末と前記無線端末との接続状態を認識して前記電話端末を着信状態にし、前記基地局を介して前記無線端末へ通話に関する表示情報を送信し、
着信動作の際、前記構内交換機が算出された前記電界強度に基づいて前記電話端末と前記無線端末の非接続状態を認識した場合、前記電話端末を着信状態とするかわりに、前記無線端末を着信状態とすることを特徴とする電話機ネットワークシステム。
【請求項２】
前記第１の通信プロトコルは、無線ＬＡＮであり、前記第２の通信プロトコルは、Bluetooth（登録商標）であることを特徴とする請求項１に記載の電話機ネットワークシステム。
【請求項３】
前記電話端末は、テンキーボタン、機能ボタン、表示部を有しないことを特徴とする請求項１又は２に記載の電話機ネットワークシステム。
【請求項４】
有線ネットワークを介して電話端末と基地局と構内交換機とが接続された電話機ネットワークシステムの接続方法において、
構内に設けられた前記基地局と第１の通信プロトコルで接続し、前記基地局を介して前記構内交換機と通信する無線端末と、前記構内交換機と通信し、前記第１の通信プロトコルとは異なり、電話端末と前記無線端末の電界強度の算出にのみ用いられる第２の通信プロトコルで前記無線端末と接続する前記電話端末と、の内線番号を同一の番号で管理し、
発信動作の際、前記基地局を介して専用アプリケーションを使用した前記無線端末の発信を受けると、前記電話端末と前記無線端末との接続状態を認識して前記電話端末を発信状態にし、着信動作の際、前記電話端末と前記無線端末との接続状態を認識して前記電話端末を着信状態にし、前記基地局を介して前記無線端末へ通話に関する表示情報を送信し、
着信動作の際、算出された前記電界強度に基づいて前記電話端末と前記無線端末の非接続状態を認識した場合、前記電話端末を着信状態とするかわりに、前記無線端末を着信状態とすることを特徴とする電話機ネットワークシステムの接続方法。
【請求項５】
有線ネットワークを介して電話端末と基地局と構内交換機とが接続された電話機ネットワークシステムにおける接続プログラムであって、
構内に設けられた前記基地局と第１の通信プロトコルで接続し、前記基地局を介して前記構内交換機と通信する無線端末と、前記構内交換機と通信し、前記第１の通信プロトコルとは異なり、電話端末と前記無線端末の電界強度の算出にのみ用いられる第２の通信プロトコルで前記無線端末と接続する前記電話端末と、の内線番号を同一の番号で管理する処理と、
発信動作の際、前記基地局を介して専用アプリケーションを使用した前記無線端末の発信を受けると、前記電話端末と前記無線端末との接続状態を認識して前記電話端末を発信状態にし、着信動作の際、前記電話端末と前記無線端末との接続状態を認識して前記電話端末を着信状態にし、前記基地局を介して前記無線端末へ通話に関する表示情報を送信する処理と、
着信動作の際、算出された前記電界強度に基づいて前記電話端末と前記無線端末の非接続状態を認識した場合、前記電話端末を着信状態とするかわりに、前記無線端末を着信状態とする処理を前記構内交換機に実行させるための接続プログラム。
【発明の詳細な説明】
【技術分野】
【０００１】
本発明は、電話機ネットワークシステム、電話機ネットワークシステムの接続方法、及び接続プログラムに関する。
【背景技術】
【０００２】
現在、携帯電話システムや無線ＬＡＮなどの無線通信システムが広く利用されている。この無線通信システムを利用して、多機能電話機などの電話端末と携帯端末とをデータ連携させて用いる電話システムの開発がなされている。例えば電話端末は、複数の内線電話機を収容し、ある内線電話機から内線番号をダイヤルすると、その電話番号に対応する他の内線電話機を呼び出すように構成されている。
【０００３】
このような電話機システムの例として、例えば特許文献１には、移動無線式の個人用携帯型電話機である携帯型電話機と、携帯型電話機を内線電話機とし複数の内線電話機を収容して相互接続する電話主装置と、一方で携帯型電話機を内線電話機として無線チャンネルを介して接続し他方で電話主装置と通信回線を接続する少なくとも一つの基地局と、を有し、パーソナルコンピュータを用いて電話交換機能を制御するコンピュータ制御による電話交換方式を用いた電話システムを開示している。
【０００４】
また、特許文献２は、携帯電話機などの通信端末により、インターネットなどの通信ネットワーク上のコンテンツサーバにアクセスして取得したコンテンツの表示内容をプリンタなどに転送する通信システムにおける情報転送システムなどを開示している。
【先行技術文献】
【特許文献】
【０００５】
【特許文献１】特開２００５−３１８３４４号公報
【特許文献２】特開２００１−１８８７３６号公報
【発明の概要】
【発明が解決しようとする課題】
【０００６】
電話端末にBluetooth（登録商標）機能を実装し、携帯端末の専用アプリケーションからBluetoothのシリアルプロファイルにてキー情報などの操作情報の送信をすることで、携帯端末とデータ連携して発信をすることが可能となる。しかしながら、この場合、携帯端末で行ったダイヤルデータなどの通信は、携帯端末からBluetooth等で結ばれた電話端末を介して構内交換機へ送信されるというものであり実現が困難であった。
【０００７】
本発明の目的は、携帯端末を用いて電話端末の機能の一部を容易に補うことのできる電話機ネットワークシステム、電話機ネットワークシステムの接続方法、及び接続プログラムを提供することにある。
【課題を解決するための手段】
【０００８】
上述の課題に鑑み、本発明の一態様は、有線ネットワークを介して電話端末と基地局と構内交換機とが接続された電話機ネットワークシステムにおいて、構内に設けられた上記基地局と第１の通信プロトコルで接続し、上記基地局を介して上記構内交換機と通信する無線端末と、上記構内交換機と通信し、上記第１の通信プロトコルとは異なる第２の通信プロトコルで上記無線端末と接続する上記電話端末と、上記電話端末と上記無線端末の内線番号を同一の番号で管理する上記構内交換機と、を備え、発信動作の際、上記構内交換機は上記基地局を介して専用アプリケーションを使用した上記無線端末の発信を受けると、上記電話端末と上記無線端末との接続状態を認識して上記電話端末を発信状態にし、着信動作の際、上記構内交換機は上記電話端末と上記無線端末との接続状態を認識して上記電話端末を着信状態にし、上記基地局を介して上記無線端末へ通話に関する表示情報を送信することを特徴とする電話機ネットワークシステムに関する。
【０００９】
また、本発明の別の態様は、有線ネットワークを介して電話端末と基地局と構内交換機とが接続された電話機ネットワークシステムの接続方法において、構内に設けられた上記基地局と第１の通信プロトコルで接続し、上記基地局を介して上記構内交換機と通信する無線端末と、上記構内交換機と通信し、上記第１の通信プロトコルとは異なる第２の通信プロトコルで上記無線端末と接続する上記電話端末と、の内線番号を同一の番号で管理し、発信動作の際、上記基地局を介して専用アプリケーションを使用した上記無線端末の発信を受けると、上記電話端末と上記無線端末との接続状態を認識して上記電話端末を発信状態にし、着信動作の際、上記電話端末と上記無線端末との接続状態を認識して上記電話端末を着信状態にし、上記基地局を介して上記無線端末へ通話に関する表示情報を送信することを特徴とする電話機ネットワークシステムの接続方法に関する。
【００１０】
さらに、本発明の他の態様は、有線ネットワークを介して電話端末と基地局と構内交換機とが接続された電話機ネットワークシステムにおける接続プログラムであって、構内に設けられた上記基地局と第１の通信プロトコルで接続し、上記基地局を介して上記構内交換機と通信する無線端末と、上記構内交換機と通信し、上記第１の通信プロトコルとは異なる第２の通信プロトコルで上記無線端末と接続する上記電話端末と、の内線番号を同一の番号で管理する処理と、発信動作の際、上記基地局を介して専用アプリケーションを使用した上記無線端末の発信を受けると、上記電話端末と上記無線端末との接続状態を認識して上記電話端末を発信状態にし、着信動作の際、上記電話端末と上記無線端末との接続状態を認識して上記電話端末を着信状態にし、上記基地局を介して上記無線端末へ通話に関する表示情報を送信する処理と、を上記構内交換機に実行させるための接続プログラムに関する。
【発明の効果】
【００１１】
本発明によると、携帯端末を用いて電話端末の発着信動作を行うとともに、通話に関する表示情報を携帯端末に表示させることを可能とする。
【００１２】
本発明の更なる利点及び実施形態を、記述と図面を用いて下記に詳細に説明する。
【図面の簡単な説明】
【００１３】
【図１】本発明の一実施形態による電話機ネットワークシステムの概略構成を示すブロック図である。
【図２】図１に示す電話端末の詳細を説明するためのブロック図である。
【図３】図１に示す携帯端末の詳細を説明するためのブロック図である。
【図４】本発明の一実施形態による電話機ネットワークシステムの発信動作を説明するためのフローチャートである。
【図５】本発明の一実施形態による電話機ネットワークシステムの着信動作を説明するためのフローチャートである。
【発明を実施するための形態】
【００１４】
以下、本発明の実施形態について図面を参照しつつ説明する。但し、以下に説明する実施形態によって本発明の技術的範囲は何ら限定解釈されることはない。
【００１５】
まず、本発明の実施形態による電話機ネットワークシステム１について図面を参照しつつ詳細に説明する。
【００１６】
図１は、本実施形態による電話機ネットワークシステム１の概略構成を示すブロック図である。電話機ネットワークシステム１は、ネットワークにある交換サーバ３２と携帯端末２０を用いて、電話端末１０からの発着信動作や携帯端末２０への表示動作を可能とする。また、電話端末１０又は携帯端末２０において算出される電界強度を交換サーバ３２へ通知することで、着信を受ける端末について電話端末１０か携帯端末２０かを選択することが可能となる。本実施形態では、Bluetoothなどの近距離無線通信機能を利用して、電話端末１０と携帯端末２０に関して互いが近傍にいるか否かを検出するためにだけ利用するため安価に実現可能となる。
【００１７】
図１に示すように、本発明の実施形態による電話機ネットワークシステム１は、電話端末１０と、携帯端末２０と、構内交換機３０と、基地局４０と、対向電話端末５０とで構成されている。構内交換機３０と対向電話端末５０は、周知のＩＰ電話機プロトコルにて呼制御が可能である。電話端末１０は、有線ネットワークを介して構内交換機３０、基地局４０、及び対向電話端末５０に接続されている。携帯端末２０は、基地局４０を介して無線で構内交換機３０に接続される。構内交換機３０は、電話機主装置３１と交換サーバ３２を有し、電話端末１０と携帯端末２０との間の音声データ、ダイヤルデータ、表示データなどの振り分けをコントロールする。同図に示すように電話機主装置３１と交換サーバ３２を一体として構内交換機３０を形成しても良いし、これら電話機主装置３１と交換サーバ３２を別々の機器として形成しても構わない。基地局４０は、無線ＬＡＮアクセスポイントとして機能し、携帯端末２０と第１の通信プロトコルである無線ＬＡＮにより通信する。
【００１８】
図２は、本実施形態による電話機ネットワークシステム１を構成する電話端末１０の詳細を示すブロック図である。電話端末１０は、通信部１１と電界強度算出部１２を有している。図３は、本実施形態による携帯端末２０の詳細を示すブロック図である。携帯端末２０は、通信部２１、電界強度算出部２２、操作部２３、表示部２４、記憶部２５を有している。電界強度算出部１２、２２は、電話端末１０と携帯端末２０との電界強度を第２の通信プロトコルにより算出する。第２の通信プロトコルとしてはBluetoothが挙げられる。電界強度を算出することで、電話端末１０と携帯端末２０が近傍（通信圏内）にいるか否かを検出する。この情報は、通信部１１、２１により構内交換機３０に送信される。なお、電界強度算出部１２、２２及び通信部１１、１２は、電話端末１０及び携帯端末２０のどちらか一方に備えられていればよい。
【００１９】
携帯端末２０の操作部２３は、例えばテンキーボタンや機能ボタンなど各種操作を行うためのものである。表示部２４は、例えば液晶ディスプレイであり、携帯端末２０の操作画面や通話に関する表示情報などを表示する。通話に関する表示情報とは、ダイヤル操作、ランプ表示、番号表示、通話時間表示、終話操作などの情報が挙げられる。記憶部２５は、発信や保留、転送機能情報などの操作を行うための専用アプリケーションを格納する。
【００２０】
図１から図３に示した本実施形態の電話機ネットワークシステム１の詳細動作について説明する。まず始めに、電話端末１０のキーボタンや表示機能を携帯端末２０で代替するための設定を構内交換機３０の交換サーバ３２に登録する。ここでは、電話端末１０と携帯端末２０のＭＡＣアドレスと割り振りたい内線番号を登録する。内線番号は同一番号を設定する。ここでは電話端末１０と携帯端末２０に割り振る内線番号を２０００番とする。次に、携帯端末２０と基地局４０は接続状態とし、携帯端末２０と交換サーバ３２はアクセス可能状態とする。また、電話端末１０と携帯端末２０はハンズフリープロファイルにてBluetooth接続されている。電話端末１０の電界強度算出部１２が携帯端末２０からのBluetoothの電界強度を認識すると、電話端末１０が携帯端末２０と接続されていることを交換サーバ３２にネットワークを経由して伝達する。又は、携帯端末２０の電界強度算出部２２が電話端末１０からの電界強度を認識して、電話端末１０と携帯端末２０とが接続していることを交換サーバ３２にネットワークを経由して伝達しても構わない。
【００２１】
次に、本実施形態による電話機ネットワークシステム１における発信動作について説明する。図４は電話機ネットワークシステム１の発信動作を説明するためのフローチャートである。上述した電話機ネットワークシステム１の状態において、携帯端末２０の専用アプリケーションを使用して、相手電話番号へ発信する（Ｓ３０１）。ここでは、対向電話端末５０の内線番号である３０００番へ発信するので、携帯端末２０を用いてダイヤル３０００を発信する（Ｓ３０３）。このダイヤル情報は、携帯端末２０の無線ＬＡＮから基地局４０を経由して交換サーバ３２に送信される。このダイヤル情報を受信した交換サーバ３２は、携帯端末２０からのＭＡＣアドレスを認識し、上記で設定された「携帯端末２０は電話端末１０と同一の内線番号である２０００番設定」であることと、「電話端末１０と携帯端末２０がBluetooth接続されている状態である」ことを認識する（Ｓ３０５）。そして、電話機主装置３１に対して携帯端末１０からの代理発信であることを伝達する（Ｓ３０７）。本情報を受信した電話機主装置３１は、通常の呼制御を実施し（Ｓ３０９）、対向電話端末５０を着信状態にする（Ｓ３１１）。ここで、対向電話端末５０にて通話状態（オフフック）にすることで、電話端末１０と対向電話端末５０が接続され通話可能となる（Ｓ３１３）。
【００２２】
次に、本実施形態による電話機ネットワークシステム１における着信動作について説明する。図５は電話機ネットワークシステム１の着信動作を説明するためのフローチャートである。対向電話端末５０から、内線番号２０００番に発信する（Ｓ４０１）。ネットワーク経由にて交換サーバ３２はこの２０００番ダイヤル情報を受信すると、上記発信時と同様に「電話端末１０と携帯端末２０は同一の内線番号である２０００番設定」であることと、「電話端末１０と携帯端末２０がBluetooth接続されている状態である」ことを認識する（Ｓ４０３）。上記状態が認識できた場合、電話機主装置３１を経由して電話端末１０を着信状態にし（Ｓ４０５）、また、基地局４０を経由して携帯端末２０へ通話に関する情報（ここでは例えば相手電話番号の３０００番）を送信する（Ｓ４０７）。電話端末１０を通話状態（オフフック）することで、電話端末１０と対向電話端末５０が接続され通話可能となる（Ｓ４０９）。
【００２３】
保留や転送機能情報も携帯端末２０の専用アプリケーションからの操作で基地局４０を経由して構内交換機３０に送られることで可能となる。また、着信時の動作にて、「電話端末１０と携帯端末２０が同一の内戦番号である２０００番」を認識したが、電話端末１０又は携帯端末２０の電界強度算出部１２、２２から電話端末１０と携帯端末２０との非接触状態を交換サーバ３２が認識している場合について例示する。例えば携帯端末２０が電話端末１０から圏外で移動中の場合、対向電話端末５０からの着信を携帯端末２０だけに通知し（Ｓ４１１）、オフフックすることで対向電話端末５０と携帯端末２０を通話状態にする（Ｓ４１５）。このとき、電話端末１０は着信状態とならない。また、通話に関する表示情報は基地局４０を経由して携帯端末２０へ送信される（Ｓ４１３）。
【００２４】
以上のように、本発明は、電話機ネットワークシステムに交換サーバを設置し、この交換サーバと電話端末のキーボタンなどの操作部や液晶画面（ＬＣＤ）などの表示部の役目を果たすアプリケーションが実装された携帯端末から、無線ＬＡＮ経由にてボタン押下情報、通話に関する表示情報を電話機ネットワークシステム上の交換サーバと送受することで、Bluetooth機能未実装、もしくはシリアルプロファイル未対応（データ転送不可）のBluetoothなどによる通信部を実装した電話端末にて、あたかも電話端末から発信したように電話機主装置へ情報の送信が可能であり、また通話に関する表示情報の受信を可能とする。
【００２５】
上述した構成により、本発明の一実施形態では、電話端末１０において、携帯端末２０を併用することで携帯端末２０が電話端末１０の操作部や表示部の代わりをすることができる。さらに、電話端末１０とテンキーボタンや機能ボタンなどの操作部、ＬＣＤなどの表示部の代替をする携帯端末２０とのBluetoothの接続状態（電界強度）を電話機ネットワークシステム１の交換サーバ３２が把握することで、プレゼンス機能として働き、移動中である携帯端末２０と電話端末１０との着信鳴り分けを実施することが可能となる。
【００２６】
なお、上述した実施形態に含まれる別々の特徴を用いた電話機ネットワークシステムの接続方法及びプログラムも、本発明の範疇に含まれる。また、本発明は、特許請求の範囲に記載された技術範囲内であれば、種々の変形が可能であることは云うまでもない。本発明には、上記実施形態の構成の一部または全部を相互に適宜組み合わせたものも含まれる。
【００２７】
なお、上述の各実施形態において、実施形態の動作処理は、プログラム、ソフトウェア、又はコンピュータによって実行されることが可能な命令でコード化された、コンピュータ読み取り可能な記憶媒体によって実行されてもよい。記憶媒体には、光ディスク、フロッピー（登録商標）ディスク、ハードディスク等の可搬型の記録媒体が含まれることはもとより、ネットワークのようにデータを一時的に記録保持するような伝送媒体も含まれる。
【符号の説明】
【００２８】
１  電話機ネットワークシステム
１０  電話端末
１１  通信部
１２  電界強度算出部
２０  携帯端末
２１  通信部
２２  電界強度算出部
２３  操作部
２４  表示部
２５  記憶部
３０  構内交換機
３１  電話機主装置
３２  交換サーバ
４０  基地局
５０  対向電話端末
【図１】
0006025210.tif 000002
【図２】
0006025210.tif 000003
【図３】
0006025210.tif 000004
【図４】
0006025210.tif 000005
【図５】
0006025210.tif 000006